【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
第１の液透過性支持布を有し、その上に第１のカラーパターンを有している、カラーマスキング層を有する、体液のための吸収性の身体用物品。
【請求項２】
前記カラーマスキング層が、体液に対する暴露のために前記物品の外表面として配置されている、請求項１に記載の物品。
【請求項３】
前記カラーパターンが多色のパターンである、請求項１に記載の物品。
【請求項４】
前記多色のパターンが、白以外の少なくとも２色を有する、請求項３に記載の物品。
【請求項５】
前記カラーパターンが、前記支持布の表面積の少なくとも２５％をカバーし、かつ前記パターンを形成している色のＬ値が、隣接する支持布のＬ値よりも大きい、請求項１に記載の物品。
【請求項６】
前記カラーマスキング層および支持布のＬ値が、
【数１】
2005525132.tif 000001
（ただし、すべての色についてＬ系＞３５）
の関係にある、請求項１に記載の物品。
【請求項７】
暗色のパターンをさらに含んでおり、前記カラーマスキング層および支持布のＬ値が、
【数２】
2005525132.tif 000002
（ただし、暗色についてＬ系≦３５）
の関係にある、請求項１に記載の物品。
【請求項８】
前記カラーマスキング層が、その上に体液が配置された後、約１フィート以上の距離において、肉眼によって見えるようなしみが実質的につかない、請求項１に記載の物品。
【請求項９】
前記カラーパターンを有する前記カラーマスキング層の領域もまた、実質的に疎水性である、請求項１に記載の物品。
【請求項１０】
前記疎水性の領域が、不規則な形状のラインか、不規則な形状か、または約０．１ｍｍよりも大きい長径の寸法を有している不規則な形状の領域からなる群の少なくとも一つを有する、請求項９に記載の物品。
【請求項１１】
前記カラーパターンが、全体的に規則的な幾何学形状を有する、請求項１に記載の物品。
【請求項１２】
前記全体的に規則的な幾何学形状が、前記支持布の平面において測定された場合、０．２ｍｍから２．０ｍｍまでの範囲の平均直径を有しており、かつ、前記規則的な幾何学形状の少なくとも半分の間のスペーシングが、前記支持布の平面において測定された場合、０．１ｍｍ〜２．０ｍｍの範囲内にある、請求項１１に記載の物品。
【請求項１３】
前記カラーマスキング層がさらに、液透過性支持布の上に間隔を置いて並べられた関係に配置された領域を含み、前記領域が、光学干渉フィルム、ホログラフィー用フィルム、モアレ模様、ホイル、高反射性の層、および蛍光性物質色素または染料、または可視スペクトルの顔料からなる群の少なくとも一つを有する、請求項１に記載の物品。
【請求項１４】
前記カラーマスキング層が、第２の液透過性支持布を有し、第２のカラーパターンをその上に有している下層をさらに有する、請求項１に記載の物品。
【請求項１５】
前記下層の支持布のＬ値が、前記第１のカラーパターンおよび第１の液透過性支持布のＬ系値よりも２０％少ない、請求項１４に記載の物品。
【請求項１６】
女性生理用ナプキン、タンポン、パンティライナー、汗パッド、創傷被覆材、および包帯よりなる群からの少なくとも一つの物品を含む、請求項１に記載の物品。
【請求項１７】
前記カラーマスキング層がさらに、前記第１の透過性支持シートおよび前記第１のカラーパターンの上に配置された開口されたシートを有する、請求項１に記載の物品。
【請求項１８】
前記開口されたシートが６０より大きいＬ値を有しており、かつ体液に対し暴露されるために前記物品の外表面として配置されている、請求項１７に記載の物品。
【請求項１９】
前記開口されたシートが非白色である、請求項１７に記載の物品。
【請求項２０】
前記上に置かれている開口されたシート及び前記カラーマスキング層の少なくとも１つが、前記物品の残余から除去可能である、請求項１７に記載の物品。
【請求項２１】
前記カラーマスキング層の少なくとも一部が、前記物品の残余から除去可能である、請求項１に記載の物品。
【請求項２２】
前記第１のカラーパターンが、多くの実質的に不透明な領域を含む、請求項１に記載の物品。
【請求項２３】
前記液透過性支持体が、実質的に透明である、請求項２２に記載の物品。
【請求項２４】
前記液透過性支持体が、実質的に半透明である、請求項２２に記載の物品。
【請求項２５】
前記カラーマスキング層の下に配置されたパッド構造であり、かつ前記パッド構造内に体液を吸収および保持するべく適応されたパッド構造をさらに有する、請求項２に記載の物品。
【請求項２６】
前記パッド構造がさらに、前記カラーマスキング層と前記パッド構造との間に配置された、非白色の拡散層を有する、請求項２５に記載の物品。
【請求項２７】
前記パッド構造がさらに、カラーパターンを上に配置した拡散層を有する、請求項２５に記載の物品。
【請求項２８】
前記カラーマスキング層のしみのない領域と、体液でしみのついたカラーマスキング層の領域との間の、コントラスト（ΔＥ）が５０未満であり、Ｌ系の値が３５より大きい、請求項１に記載の物品。
【請求項２９】
暗色のパターンをさらに含んでおり、かつ前記カラーマスキング層のしみのない領域と、体液でしみのついたカラーマスキング層の領域との間の、コントラスト（ΔＥ）が５０未満であり、Ｌ系の値が３５未満である、請求項１に記載の物品。
【請求項３０】
前記カラーマスキング層がさらに、前記液透過性支持布の上に間隔を置いて並べられた関係に配置された液不透過性領域を含み、前記カラーパターンの少なくとも一部が前記液不透過性領域上に見えている、請求項１に記載の物品。
【請求項３１】
前記液透過性領域が穿孔されている、請求項３０に記載の物品。
【請求項３２】
前記液不透過性領域が多数の色を含む、請求項３０に記載の物品。
【請求項３３】
前記液不透過性領域がパターンを形成する、請求項３０に記載の物品。
【請求項３４】
前記液不透過性領域が、前記液不透過性領域の物理的な大きさにしたがったパターンにアレンジされる、請求項３３に記載の物品。
【請求項３５】
前記液不透過性領域の少なくとも一部の外表面が疎水性材料を含む、請求項３０に記載の物品。
【請求項３６】
前記疎水性材料が、ポリオレフィン、フルオロカーボンポリマー、フルオロシリコーンポリマー、シリコーン、ポリビニルハロゲン化物、およびナイロン、またはその混合物から成る群の少なくとも１つの材料を有する、請求項３５に記載の物品。
【請求項３７】
一つの液不透過性領域を有する前記疎水性材料の少なくとも一部が、さらに第２の疎水性材料によりコートされる、請求項３５に記載の物品。
【請求項３８】
前記液透過性支持布の少なくとも一部が、実質的に親水性材料によりコートされる、請求項３５に記載の物品。
【請求項３９】
前記不透過性領域が、それに接している体液の前記物品内への流れを促進する形状を形成するべく、前記支持布から上方に伸びている、請求項３０に記載の物品。
【請求項４０】
前記液不透過性領域が、前記支持布から上方に伸びており、かつ使用者と接触するための支持布の表面積を減じるべく形づけられる、請求項３０に記載の物品。
【請求項４１】
前記支持布の平面における、前記液不透過性領域の最大横断面寸法が、少なくとも０．１ｍｍより大きい、請求項３０に記載の物品。
【請求項４２】
前記支持布に対して垂直の角度で見た場合、前記液不透過性領域が、前記支持布材料の９５％までをカバーする、請求項３０に記載の物品。
【請求項４３】
前記支持布に対して垂直の角度で見た場合、前記液不透過性領域が、前記支持布材料の８０％までをカバーする、請求項３０に記載の物品。
【請求項４４】
前記支持布に対して垂直の角度で見た場合、前記液不透過性領域が、前記支持布材料の５０％までをカバーする、請求項３０に記載の物品。
【請求項４５】
前記支持布が、多数の支持布を積層された関係において有し、その上に少なくとも一つの不透過性領域を有する、請求項３０に記載の物品。
【請求項４６】
前記液不透過性領域が、前記支持布の平面において測定された場合、０．２ｍｍから２．０ｍｍまでの平均直径を有している、全体的に規則的な幾何学形状を含む、請求項３０に記載の物品。
【請求項４７】
前記液不透過性領域の少なくとも半分の間のスペーシングが、前記支持布の平面において測定された場合、０．１ｍｍ〜２．０ｍｍの範囲にある、請求項４６に記載の物品。
【請求項４８】
前記カラーマスキング層が、第２の液不透過性支持布を有し、かつその上に第２のカラーパターンを有している下層をさらに含む、請求項３０に記載の物品。
【請求項４９】
前記下層が、前記第２の液不透過性支持布上に間隔を置いて並べられた関係に配置された、多数の液不透過性領域を含む、請求項４８に記載の物品。
【請求項５０】
前記カラーマスキング層のしみのない領域と、体液でしみのついたカラーマスキング層の領域との間のコントラスト（ΔＥ）が２０未満であり、Ｌ系の値が３５より大きい、請求項３０に記載の物品。
【請求項５１】
暗色のパターンを有し、かつ前記カラーマスキング層のしみのない領域と、体液でしみのついたカラーマスキング層の領域との間のコントラスト（ΔＥ）が２０未満であり、Ｌ系の値が３５未満である、請求項３０に記載の物品。
【請求項５２】
体液に対する暴露のために前記物品の外表面に配置された、液透過性カラーマスキング層を有しており、前記カラーマスキング層が実質的に一色を有し、前記カラーマスキング層のしみのない領域と、体液でしみのついたカラーマスキング層の領域との間のコントラスト（ΔＥ）が５０未満であり、かつＬ系の値が３０より大きい、吸収性の身体用物品。
【請求項５３】
前記カラーマスキング層が、６０より大きいＬ値を有している、請求項５２に記載の物品。
【請求項５４】
前記カラーマスキング層が、前記液透過性表面と使用者との間に配置され、６０より大きいＬ値を有している穿孔されたシートをさらに有する、請求項５２に記載の物品。
【請求項５５】
前記穿孔されたシートが、前記カラーマスキング層のしみのない領域と、体液でしみのついたカラーマスキング層の領域との間に、１０未満のΔＥを有する、請求項５２に記載の物品。
【請求項５６】
体液に対する暴露のために前記物品の外表面に配置された、液体透過性のカラーマスキング層を有しており、前記カラーマスキング層が実質的に一色であって、液体透過性の空間により分離された、液体不透過性の材料を含んでいる多数の領域をさらに有する、吸収性の身体用物品。
【請求項５７】
前記カラーマスキング層のＬ値、および前記液透過性空間のＬ値が、
【数３】
2005525132.tif 000003
（ただし、すべての色についてＬ系＞３５）
の関係にある、請求項５６に記載の物品。
【請求項５８】
前記液不透過性材料が、前記カラーマスキング層の９５％未満の表面を有し、かつ前記領域が、前記領域の隣接する一つと互いに連結している、請求項５６に記載の物品。
【請求項５９】
前記液不透過性材料が、前記カラーマスキング層の８０％未満の表面を有する、請求項５８に記載の物品。
【請求項６０】
前記液不透過性領域の少なくとも外表面が実質的に疎水性であり、かつ前記液透過性支持布が実質的に親水性である、請求項５６に記載の物品。
【請求項６１】
前記液不透過性領域が、それに接している体液の前記物品内への流れを促進する形状を形成するために、前記支持布から上方に伸びている、請求項５６に記載の物品。
【請求項６２】
前記液不透過性領域が、前記支持布から上方に伸びており、かつ使用者と接触している支持布の表面積を減少するように形成される、請求項５６に記載の物品。
【請求項６３】
前記液不透過性領域および液透過性領域の双方が、ともに実質的に白色であって、前記液不透過性領域が６０より大きいＬ値を有しかつ実質的に疎水性であり、前記液透過性領域が、前記液不透過性領域のそれより実質的に２０％以上小さいＬ値を有しかつ実質的に親水性であり、前記カラーマスキング層が、その上に体液を置かれた後、肉眼によって見えるようなしみを作らない、請求項５６に記載の物品。
【請求項６４】
前記液不透過性領域が、前記支持布の平面において測定された場合、０．２ｍｍから２．０ｍｍまでの範囲の平均直径を有している、全体的に規則的な幾何学形状を有する、請求項６３に記載の物品。
【請求項６５】
前記液不透過性領域の少なくとも半分の間のスペーシングが、前記支持布の平面において測定された場合、０．３ｍｍ〜２．０ｍｍの範囲内にある、請求項６４に記載の物品。
【請求項６６】
前記カラーマスキング層のしみのない領域と、体液でしみのついたカラーマスキング層の領域との間のコントラスト（ΔＥ）が５０未満であり、前記カラーマスキング層のＬ値が３０より大きい、請求項５６に記載の物品。
【請求項６７】
前記液透過性空間が穿孔されている、請求項５６に記載の物品。